(57)【要約】【課題】取り付けが容易で、かつ、短時間で施工でき、また安定した高い防水機能を有する窓枠下の化粧部材の納め構造を提供する。【解決手段】建築物の開口部（３０）の窓枠（４０）下への化粧部材（１０）の納めに際し、窓枠（４０）が設置される上部外装材（５１）と下部外装材（５２）との間に、前面に開口を有するベース部材（２０）を設置して、化粧部材（１０）の裏面側に一体配設されたシール材（１１）をベース部材（２０）の開口に挿入、係止して固定する。【選択図】        図１
2004176295.tif 000002
【特許請求の範囲】
【請求項１】
建築物の開口窓枠部下への化粧部材の納め構造であって、窓枠が配置される上部外装材と化粧部材が配置される下部外装材との間に、前面開口するベース部材が設置され、化粧部材の裏面側に一体配設されたシール材がベース部材の開口に挿入、係止されて化粧部材が固定されていることを特徴とする化粧部材の納め構造。
【請求項２】
シール材は、挿入部とパッキン部を有していることを特徴とする請求項１の化粧部材の納め構造。
【請求項３】
挿入部は、長いヒレ片を挿入部上部に、短いヒレ片を挿入部下部に備えていることを特徴とする請求項２の化粧部材の納め構造。
【発明の詳細な説明】
【０００１】
【発明の属する技術分野】
この出願の発明は、化粧部材の納め構造に関するものである。さらに詳しくは、この出願の発明は、住宅等の建築物の開口窓枠部に配設される化粧部材の納め構造に関するものである。
【０００２】
【従来技術】
従来より、住宅等の開口窓枠部の下にはしばしば化粧部材が取付けられている。
【０００３】
図２はこのような化粧部材の取付けについての従来例を示した正面図（Ａ）と要部断面図（Ｂ）である。たとえばこの図２に例示したように、開口部（３０）の窓枠（４０）の下方位置において化粧部材（１０）が外装部材（５０）に取り付けられる。この取付けでは、図２（Ｂ）の断面図に例示したように、窓枠が配置される上部外装材（５１）と化粧部材（１０）が配置される下部外装材（５２）の境界部分にハット型ジョイナー（７０）を設置し、シーリング処理（６０）を行った後、化粧部材（１０）および下部外装材（５２）を貫通するビス（８０）等によって、窓枠（４０）の下に化粧部材（１０）を納めている。しかし、この構造では、上記のとおり、防水性が必ずしも満足できるものではなく、またシーリング処理（６０）は湿式施工のため取り付け作業に時間や手間がかかる等の問題もあった。
【０００４】
そこで、このような問題点を解消するものとして、図３の構造（特許文献１）が提案されている。この構造では、建築躯体となる壁パネル（１４０）  と、窓等の縦枠となる調整材（１５０）  と、そしてサッシ枠（１１０）  と、この横方向にスライドする引き戸（１２０）  とを備えている。また、壁パネル（１４０）  の表面には壁仕上げ部材（１３０）  が配置されている。化粧部材（９０）は、調整材（１５０）  固定材（９２）とネジ（１６０）  によって固定され、固定材（９２）に化粧材（９１）が取付けられるようにしている。
【０００５】
このような構造においては、前記のような湿式のシーリング処理ではなく乾式の施工となるため作業性は向上するものの、防水効果についてはあまり考慮されていない。
【０００６】
【特許文献１】
特開平９−２５７６７  号公報
【０００７】
【発明が解決しようとする課題】
この出願の発明は、以上のとおりの事情に鑑みてなされたものであって、無機質外装材を用いた構造として防水をしっかりと確保することが必要な場合にも、効率的に短時間で施工でき、また安定した高い防水機能を実現することのできる、建物の開口窓枠部に配設される化粧部材の新しい納め構造を提供することを課題としている。
【０００８】
【課題を解決するための手段】
この出願の発明は、前記の課題を解決するものとして、第１に、建築物の開口窓枠部下への化粧部材の納め構造であって、窓枠が配置される上部外装材と下部外装材との間に、前面に開口するベース部材が設置され、化粧部材の裏面側に一体配設されたシール材がベース部材の開口に挿入、係止されて化粧部材が固定されていることを特徴とする化粧部材の納め構造を提供する。
【０００９】
またこの出願の発明は、第２には、シール材は挿入部とパッキン部を有していることを特徴とする化粧部材の納め構造を、第３には、挿入部は、長いヒレ片を挿入部上部に、短いヒレ片を挿入部下部に備えていることを特徴とする化粧部材を提供する。
【００１０】
【発明の実施の形態】
この出願の発明は、上記のとおりの特徴をもつものであるが、以下に、添付した図面に沿って、この出願の発明の実施形態について詳細かつ具体的に説明する。
【００１１】
図１は、この出願の発明の一実施例を模式的に例示した、正面図（Ａ）と要部拡大断面図（Ｂ）である。この化粧部材の納め構造では、外装材（５０）に配設されている開口部（３０）の窓枠（４０）の下に化粧部材（１０）が取り付けられている。拡大断面図に示したように、化粧部材（１０）には、裏面側にシール材（１１）が一体配設されている。建物の外壁面に配設される外装材（５０）は、開口部（３０）の窓枠（４０）に対応して上部外装材（５１）と下部外装材（５２）とを備えており、上部外装材（５１）と下部外装材（５２）との間には、前面に開口を有するベース部材（２０）を設置され、この開口にシール材（１１）の挿入部（１２）が挿入・係止されて、化粧部材（１０）が固定される。
【００１２】
そして、シール材（１１）は、挿入部（１２）およびパッキン部（１５）を有し、挿入部（１２）は、複数のヒレ片（長）（１３）およびヒレ片（短）（１４）を備えている。挿入部（１２）の上部にはより長いヒレ片（長）（１３）を、下部には短いヒレ片（短）（１４）が配置され、また図１（Ｂ）に示したとおり、このヒレ片（長、短）（１３  、１４）  が上下ともに差し込み方向に対して斜め後方、つまり前面に向って傾斜されている。このようなシール材（１１）の構造から、化粧部材（１０）のベース部材（２０）への差し込み取り付けを簡便に行うことができ、また抜け落ちを防止し、かつ、化粧部材（１０）前部の下がりを防止することができる。さらにまた、シール材（１１）が前記のヒレ片（長、短）（１３、１４）  を有し、そのベース部材（２０）側の縁辺全体がパッキン部材（１５）を備えることによって、湿式シーリング処理と比較して、施工のバラツキによって生じる防水効果の不均一性を解消し、安定した良好な防水効果が得られるとともに、乾式施工方式のため、施工効率も向上する。
【００１３】
もちろん、この出願の発明は以上の例示に限られることはなく、化粧部材（１０）の素材を金属やプラスチック等とすることや塗装加工等をはじめとして、化粧部材（１０）の大きさ等のその細部の形態において様々に可能であることは言うまでもない。
【００１４】
【発明の効果】
以上詳しく説明したとおり、この出願の発明によって、化粧部材にシール材を一体配設させ、少ない部材で効率的に短時間で施工でき、また安定した高い防水機能を有する窓枠下の化粧部材の納め構造が提供される。
【図面の簡単な説明】
【図１】この出願の発明の一実施形態を例示した、正面図（Ａ）および要部拡大断面図（Ｂ）である。
【図２】従来の化粧部材の実施形態を模式的に示した、正面図（Ａ）および要部拡大断面図（Ｂ）である。
【図３】別の従来例を示した断面図である。
【符号の説明】
１０  化粧部材
１１  シール材
１２  挿入部
１３  ヒレ片（長）
１４  ヒレ片（短）
１５  パッキン部
２０  ベース部材
３０  開口部
４０  窓枠
５０  外装材
５１  上部外装材
５２  下部外装材
６０  シーリング処理
７０  ハット型ジョイナー
８０  ビス
９０  化粧部材
９１  化粧材
９２  固定材
１００    当接調整材
１１０    サッシ枠
１２０    引き戸
１３０    壁仕上げ部材
１４０    壁パネル
１５０    調整材
１６０    ネジ
【図１】
2004176295.tif 000003
【図２】
2004176295.tif 000004
【図３】
2004176295.tif 000005